(57)【要約】【課題】  本発明は、メッセージ交換型会話システムにおけるメッセージ表示方法に関するものであり、従来は、活発に行われていた会話内容や多くの情報を含んだ会話内容をリアルタイムに参照できないという問題があった。【解決手段】  上記課題を解決するために、複数の端末から送られたメッセージを登録し表示する電子会議システムで以下の処理を行う。前記送られた複数のメッセージのそれぞれの文字数を算出し、該算出した文字数に比例した長さの棒グラフを該メッセージとそれぞれ対応付けて表示する。表示条件と棒グラフの色を対応付けて予め記憶し、前記送られたメッセージを前記表示条件で検索し、該表示条件を満たす場合は前記棒グラフの色を当該表示条件に対応する色で表示する。【選択図】  図１
2006004131.tif 000002
【特許請求の範囲】
【請求項１】
複数の端末から送られたメッセージを登録し表示する電子会議システムにおけるメッセージ表示方法において、
前記送られた複数のメッセージのそれぞれの文字数を算出し、該算出した文字数に比例した長さの棒グラフを該メッセージとそれぞれ対応付けて表示することを特徴とするメッセージ表示方法。
【請求項２】
表示条件と棒グラフの色を対応付けて予め記憶し、前記送られたメッセージを前記表示条件で検索し、該表示条件を満たす場合は前記棒グラフの色を当該表示条件に対応する色で表示することを特徴とする請求項1記載のメッセージ表示方法。
【請求項３】
前記表示条件は、前記メッセージを検索するためのキーワードと発言者であることを特徴とする請求項２記載のメッセージ表示方法。
【請求項４】
複数の端末から送られたメッセージを登録し表示する電子会議システムにおいて、
前記送られた複数のメッセージのそれぞれの文字数を算出する手段と、該算出した文字数に比例した長さの棒グラフを該メッセージとそれぞれ対応付けて表示する手段とを備えたことを特徴とする電子会議システム。
【請求項５】
複数の端末から送られたメッセージを登録し表示する電子会議システムを機能させるためのメッセージ表示プログラムにおいて、
前記送られた複数のメッセージのそれぞれの文字数を算出するステップと、該算出した文字数に比例した長さの棒グラフを該メッセージとそれぞれ対応付けて表示するステップとを有することを特徴とするメッセージ表示プログラム。
【発明の詳細な説明】
【技術分野】
【０００１】
本発明は、複数の端末からメッセージを登録し会話することのできるメッセージ表示技術に関する。
【背景技術】
【０００２】
従来は、特許文献1に記載のような技術が開示されており、登録された条件に該当する発言をリアルタイムに検出し、ユーザに知らせることによりそのメッセージを参照することができた。
【０００３】
【特許文献１】特開平１１−２７２５７７号公報
【発明の開示】
【発明が解決しようとする課題】
【０００４】
上記従来技術では、リアルタイムに会話を行いながら、指定したキーワードを含む会話や、指定した時間内の会話を参照できるが、単純にキーワードが含まれている会話や指定時間内の会話内容を表示するだけで、多くの人が頻繁に発言していた活発な会話内容を知ることはできない。
【０００５】
本発明の目的は、会話が活発に行われていた内容や多くの情報を含んだ会話内容、指定したキーワードを多く含んだ会話内容を色付けして簡易表示し、選択された箇所の会話内容を表示することにより、リアルタイムに会話しながら、過去の会話内容の参照を可能とすることにある。
【課題を解決するための手段】
【０００６】
上記目的を達成するために、登録されたメッセージの登録時刻および文字数を蓄積し、  条件を指定することにより、通常の画面とは別に指定された条件のメッセージを色付けして簡易表示した画面、および簡易表示メッセージを選択することにより詳細なメッセージを表示した画面を表示する。
【発明の効果】
【０００７】
本発明によれば、過去の会話内容のうち、活発に会話が行われていた内容やユーザが指定した条件の会話内容を参照することができる。
【発明を実施するための最良の形態】
【０００８】
以下、本発明の実施例を図面に基づいて詳細に説明する。
【０００９】
図１は、本発明を適用したメッセージ交換型会話システムの全体構成である。ネットワーク１０３に端末１００、メッセージ交換サーバ１０４が接続されている。端末１００はユーザインタフェース機能１０１、通信機能１０２を有する。メッセージ交換サーバ１０４は通信機能１０５、メッセージ管理機能１０６、表示条件管理機能１０７、メッセージ表示機能１０８、メッセージ蓄積部１０９、表示条件蓄積部１１０、表示色情報蓄積部１１１を有する。
【００１０】
図２に、ユーザが表示条件を指定していないときに、メッセージを登録した場合のメッセージ管理機能１０６の処理フローを示す。処理フロー２００は、ステップ２０１、ステップ２０２、ステップ２０３、ステップ２０４、ステップ２０５、ステップ２０６から成る。
【００１１】
図３に、メッセージ蓄積部１０９の詳細を示す。メッセージ蓄積部１０９は、メッセージＩＤ３００、メッセージ内容３０１、登録日時３０２、文字数３０３から成る。
【００１２】
メッセージ管理機能１０６は、ステップ２０２で端末からのメッセージ登録要求を受け付け、ステップ２０３でメッセージ蓄積部に登録されているメッセージＩＤの最大値に１を加えた値を新規メッセージＩＤとして記憶する。図３にあるメッセージ蓄積部１０９において、メッセージＩＤの最大値は５であるので、メッセージ登録要求を受け付けた場合、新規メッセージＩＤは６となる。次にステップ２０４で、端末から受け付けたメッセージ内容３０１、登録日時３０２、文字数３０３を新規メッセージＩＤでメッセージ蓄積部１０９に追加する。
【００１３】
図４に、端末１００の表示例を示す。端末１００は、メッセージが登録されるとリアルタイムにメッセージが更新表示される通常画面４００、簡易画面の簡易メッセージを選択したときに詳細メッセージを表示する詳細画面４０１、メッセージが登録されるとリアルタイムに簡易表示される簡易画面４０２から成る。ステップ２０５で返信された表示情報は通常画面４００の一番下のメッセージの下に追加表示され、簡易画面４０２も更新する。簡易画面４０２は、縦軸を時間、横軸をメッセージの文字数とし、各メッセージを太線で表す。太線の色は、指定された条件に設定された色で表示され、条件外のメッセージはデフォルト色で表示する。ユーザは簡易画面を参照することにより、太線が密集している箇所は会話が活発に行われていたところで、太線が長いメッセージは多くの情報を含んだメッセージであると認識することができる。また色付けされているメッセージには指定した条件の内容が含まれているので、ユーザは参照することにより希望する情報を見ることができる。
【００１４】
図５に、ユーザが簡易画面に表示する条件を新規に追加する場合の表示条件管理機能１０７の処理フローを示す。処理フロー５００は、ステップ５０１、ステップ５０２、ステップ５０３、ステップ５０４、ステップ５０５から成る。
【００１５】
図６に、表示条件蓄積部１１０の詳細を示す。表示条件蓄積部１１０は、条件ＩＤ６００、表示条件６０１、表示色６０２から成る。
【００１６】
表示条件管理機能１０７は、ステップ５０２で端末からの表示条件登録要求を受け付け、ステップ５０３で表示条件蓄積部１１０に登録されている条件ＩＤの最大値に１を加えた値を新規条件ＩＤとして記憶する。図６にある表示条件蓄積部１１０において、条件ＩＤの最大値が３であるので、表示条件登録要求を受け付けた場合、新規条件ＩＤは４となる。次にステップ５０４で、端末から受け付けた表示条件、表示色を新規条件ＩＤで表示条件蓄積部１１０に追加する。
【００１７】
図７に、ユーザが簡易画面に表示する簡易メッセージの条件を指定した場合のメッセージ表示機能１０８の処理フローを示す。処理フロー７００は、ステップ７０１、ステップ７０２、ステップ７０３、ステップ７０４、ステップ７０５、ステップ７０６、ステップ７０７から成る。
【００１８】
図８に、表示色情報蓄積部１１１の詳細を示す。表示色情報蓄積部１１１は、条件ＩＤ６００、メッセージＩＤ３００、表示色６０２から成る。
【００１９】
メッセージ表示機能１０３は、ステップ７０２で端末からの指定条件表示要求を受け付け、ステップ７０３で受け付けた条件ＩＤ６００に該当する表示条件６０１、表示色６０２を表示条件蓄積部１１０から取得し記憶する。次にステップ７０４で、取得した表示条件６０１に該当するメッセージＩＤ３００をメッセージ蓄積部１０９から取得し記憶する。次にステップ７０５で、取得した条件ＩＤ６００、メッセージＩＤ３００、表示色６０２を表示色情報蓄積部１１１に追加する。このとき、既に同じ（条件ＩＤ６００、メッセージＩＤ３００）のレコードが存在する場合は追加しない。次にステップ７０６で受け付けた条件ＩＤ６００に該当するメッセージＩＤ３００、表示色６０２の簡易表示情報を端末に返信する。
【００２０】
図９に、簡易画面を更新した端末１００の表示例を示す。ステップ７０６で返信された簡易表示情報で簡易画面４０２を更新する。該当するメッセージの太線の色が指定された色で表示される。
【００２１】
図１０に、ユーザが既に表示条件を指定しているときに、メッセージを登録した場合のメッセージ管理機能１０６の処理フローを示す。処理フロー１０００は、ステップ１００１、ステップ１００２、ステップ１００３、ステップ１００４、ステップ１００５、ステップ１００６から成る。
【００２２】
メッセージ管理機能１０６は、ステップ１００２で端末からの表示条件付きメッセージ登録要求を受け付け、ステップ１００３で端末から受け付けたメッセージ内容、登録時刻、文字数をメッセージ蓄積部１０９に追加する。次にステップ１００４で、端末から受け付けた条件ＩＤ６００に該当するメッセージＩＤ３００を取得し、表示色情報蓄積部１１１に追加する。次にステップ１００５で、通常画面に表示する表示情報と簡易画面に表示する簡易表示情報を端末に返信し、端末では、通常画面を簡易画面が更新される。
【００２３】
図１１に、ユーザが簡易画面にあるメッセージを選択した場合のメッセージ表示機能１０８の処理フローを示す。処理フロー１１００は、ステップ１１０１、ステップ１１０２、ステップ１１０３、ステップ１１０４、ステップ１１０５から成る。
【００２４】
メッセージ表示機能１０８は、ステップ１１０２で端末からの詳細表示要求を受け付け、ステップ１１０３で端末から受け付けたメッセージＩＤでメッセージ蓄積部１０９からメッセージ内容３０１を取得して記憶する。次にステップ１１０４で、詳細表示情報を端末に返信する。
【００２５】
図１２に、詳細表示情報を表示した端末１００の表示例を示す。ステップ１１０４で返信された詳細表示情報を詳細画面４０１に表示する。詳細画面４０１には、簡易画面４０２を選択した時点のすべてのメッセージが表示され、選択したメッセージが真中に表示される。詳細画面４０１は次に簡易画面４０２が選択されるまで更新されない。
【００２６】
これにより、以前に会話した内容を詳細画面４０１で参照しながら通常画面４００でリアルタイムに会話することができる。
【図面の簡単な説明】
【００２７】
【図１】本発明における一実施例である、メッセージ交換型会話システムの全体構成を示すものである。
【図２】表示条件が未指定時のメッセージ登録要求の流れを示すフローチャートである。
【図３】メッセージ蓄積部のスキーマを示すものである。
【図４】通常画面の表示例を示すものである。
【図５】表示条件登録要求の流れを示すフローチャートである。
【図６】表示条件蓄積部のスキーマを示すものである。
【図７】指定条件表示要求の流れを示すフローチャートである。
【図８】表示色情報蓄積部のスキーマを示すものである。
【図９】簡易画面の表示例を示すものである。
【図１０】表示条件が指定済のメッセージ登録要求の流れを示すフローチャートである。
【図１１】詳細表示要求の流れを示すフローチャートである。
【図１２】詳細画面の表示例を示すものである。
【符号の説明】
【００２８】
１００  端末
１０１  ユーザインタフェース機能
１０２  通信機能（端末）
１０３  ネットワーク
１０４  メッセージ交換サーバ
１０５  通信機能（メッセージ交換サーバ）
１０６  メッセージ管理機能
１０７  表示条件管理機能
１０８  メッセージ表示機能
１０９  メッセージ蓄積部
１１０  表示条件蓄積部
１１１  表示色情報蓄積部
３００  メッセージＩＤ
３０１  メッセージ内容
３０２  登録日時
３０３  文字数
４００  通常画面
４０１  詳細画面
４０３  簡易画面
６００  条件ＩＤ
６０１  表示条件
６０２  表示色
【図１】
2006004131.tif 000003
【図２】
2006004131.tif 000004
【図３】
2006004131.tif 000005
【図４】
2006004131.tif 000006
【図５】
2006004131.tif 000007
【図６】
2006004131.tif 000008
【図７】
2006004131.tif 000009
【図８】
2006004131.tif 000010
【図９】
2006004131.tif 000011
【図１０】
2006004131.tif 000012
【図１１】
2006004131.tif 000013
【図１２】
2006004131.tif 000014